【手続補正書】
【提出日】平成25年3月6日(2013.3.6)
【手続補正１】
【補正対象書類名】明細書
【補正対象項目名】０００８
【補正方法】変更
【補正の内容】
【０００８】
本発明に係る保温マットは、第１長辺と、前記第１長辺に対向する第２長辺と、前記第１長辺および前記第２長辺の間で構成される第１短辺と、前記第１長辺および前記第２長辺の間で構成され前記第１短辺に対向する第２短辺とを有する平面視長方形状のマット本体、並びに、前記第１長辺に対向する第３長辺と、前記第２長辺に対向する第４長辺と、前記第１短辺に対向する第３短辺と、前記第２短辺に対向する第４短辺とを有し、前記マット本体と略同程度の大きさに形成された平面視長方形状のマットカバーを備える保温マットであって、前記第１長辺の中央部と前記第２短辺との間の第１縫い止め位置から少なくとも前記第１短辺における前記第２長辺の側の端部まで、前記第１長辺及び前記第３長辺、並びに前記第１短辺及び前記第３短辺をそれぞれ互いに縫い合わせて前記マット本体と前記マットカバーとを結合した結合部と、前記マット本体の第２長辺と前記マットカバーの前記第４長辺とを開閉可能につなぎ合わせるファスナーとを備え、前記ファスナーは、前記結合部の前記第２長辺に配置された第２縫い止め位置から前記第２短辺の側に向かって配設され、前記第２短辺へ向かう第１方向への摺動により前記第２長辺と前記第４長辺との間を閉じ、前記第１方向とは反対の第２方向への摺動により前記第２長辺と前記第４長辺との間を開く第１スライダーを備えることを特徴とする。
【手続補正２】
【補正対象書類名】明細書
【補正対象項目名】０００９
【補正方法】変更
【補正の内容】
【０００９】
また、本発明に係る保温マットでは、前記ファスナーの前記第２短辺の側の端部を前記結合部の前記第１縫い止め位置との対向位置より前記第２短辺に近い位置に配置し、前記マットカバーの前記第３長辺と前記第４短辺とが隣接する角部を前記マット本体に止める止め具を更に備えることを特徴とする。
【手続補正３】
【補正対象書類名】明細書
【補正対象項目名】００１０
【補正方法】変更
【補正の内容】
【００１０】
また、本発明に係る保温マットでは、前記結合部は、前記第２縫い止め位置を前記第２長辺の中央部と前記第１短辺との間に設けたことを特徴とする。
【手続補正４】
【補正対象書類名】明細書
【補正対象項目名】００１１
【補正方法】変更
【補正の内容】
【００１１】
また、本発明に係る保温マットでは、前記ファスナーは、前記第１スライダーより第２短辺側に、前記第１スライダーと異なる第２スライダーを有するダブルジップファスナーであり、前記第２スライダーは、前記第２方向への摺動により前記第２長辺と前記第４長辺との間を閉じ、前記第１方向への摺動により前記第２長辺と前記第４長辺との間を開くことを特徴とする。
【手続補正５】
【補正対象書類名】明細書
【補正対象項目名】００１２
【補正方法】変更
【補正の内容】
【００１２】
また、本発明に係る保温マットでは、前記マット本体は、ヒーター部を配置してなることを特徴とする。
【手続補正６】
【補正対象書類名】明細書
【補正対象項目名】００１３
【補正方法】変更
【補正の内容】
【００１３】
また、本発明に係る保温マットでは、前記マット本体は、前記ヒーター部の温度を調節操作する制御部に接続するコードを前記第２長辺における中央部より前記第２短辺の側の位置から引き出したことを特徴とする。
【手続補正７】
【補正対象書類名】明細書
【補正対象項目名】００１４
【補正方法】変更
【補正の内容】
【００１４】
本発明に係る保温マットは、第１長辺と、前記第１長辺に対向する第２長辺と、前記第１長辺および前記第２長辺の間で構成される第１短辺と、前記第１長辺および前記第２長辺の間で構成され前記第１短辺に対向する第２短辺とを有してマット本体を構成する第１面部、並びに、前記第１長辺に対向する第３長辺と、前記第２長辺に対向する第４長辺と、前記第１短辺に対向する第３短辺と、前記第２短辺に対向する第４短辺とを有し前記第１面部に対向してマットカバーを構成する第２面部を備える保温マットであって、前記第１長辺と前記第３長辺とを互いに縫い合わせて結合した長辺結合部と、前記第２長辺と前記第４長辺とを互いに中央部から前記第１短辺および前記第２短辺の方へ開閉可能につなぎ合わせる連結部とを備えることを特徴とする。
したがって、本発明に係る保温マットは、長辺結合部で第１面部および第２面部を縫い合わせて結合し、また、長辺結合部に対向させて配置した連結部を開閉可能につなぎ合わせることから、第２長辺と第４長辺との位置関係を互いに分離した分離状態、あるいは、互いに連結した連結状態とすることができるので、使用者が第２短辺（第４短辺）の側から第１面部と第２面部との間に長さ方向に沿って身体（下半身、あるいは全身）を挿入すること、あるいは、第２長辺（第４長辺）の側から第１面部と第２面部との間に長さ方向と交差する幅方向に沿って身体（下半身）を挿入することのいずれも可能となり、単なる保温マットとして第１面部および第２面部が重畳された上に身体を置いた状態での使用形態の他に、長さ方向での全身／下半身に対する保温、あるいは、幅方向での下半身に対する保温のいずれも可能となる。つまり、本発明に係る保温マットは、寝具的な使用、ひざ掛け的な使用など、使用形態の汎用性、利便性を向上させて多種多様な使用形態・くつろぎ方を提供することができる。
また、本発明に係る保温マットでは、前記長辺結合部は、前記第１短辺の側から前記第１長辺の中央部と前記第２短辺との間の第１縫い止め位置までにわたって形成され、前記第２短辺側での前記連結部の端部は、前記第１縫い止め位置に対して前記第２短辺の側に配置され前記第２長辺と前記第４長辺とを分離できる構成とされていることを特徴とする。
したがって、本発明に係る保温マットは、第２短辺の方から身体を挿入するとき、第１縫い止め位置に対して第２長辺および第４長辺の間を広く開放して挿入の容易性を確保し、また、第２短辺から第１縫い止め位置までの間で第１長辺と第３長辺とを分離させて第２短辺の側からの身体の挿入の容易性および身体に対する第２面部の被覆性を確保することが可能となる。さらに、身体（全身）を長さ方向で挿入したときは第１縫い止め位置より第２短辺に近い位置まで連結部を連結状態にできることから身体を確実に被覆することができるので保温性を向上させることができる。
【手続補正８】
【補正対象書類名】明細書
【補正対象項目名】００１５
【補正方法】変更
【補正の内容】
【００１５】
また、本発明に係る保温マットでは、前記第２長辺と前記第４長辺とを互いに縫い合わせて結合した補助結合部を前記第１短辺の側に備え、前記補助結合部は、前記第１短辺の側から前記第２長辺の中央部と前記第１短辺との間の第２縫い止め位置までにわたって形成されており、前記連結部は、前記補助結合部に続けて形成されていることを特徴とする。
したがって、本発明に係る保温マットは、長辺結合部および補助結合部によって第１短辺（第３短辺）の側で筒状態（疑似袋部）を構成し、疑似袋部に続けて連結部を構成することから、連結部での分離状態および連結状態を確実に維持することができる。
【手続補正９】
【補正対象書類名】明細書
【補正対象項目名】００１６
【補正方法】変更
【補正の内容】
【００１６】
また、本発明に係る保温マットでは、前記連結部は、前記第２短辺の側の端部が相互に分離できるダブルジップファスナーで構成されていることを特徴とする。
したがって、本発明に係る保温マットは、連結部で第２長辺および第４長辺の間の分離状態、連結状態を長辺の中央部から両方の短辺（第１短辺、第２短辺）へ向けて自由に調整することができ、また、第２短辺の側の端部が相互に分離できる配置とされているので、連結部の開閉（分離状態／連結状態）の容易性および自由度を向上させることができる。
【手続補正１０】
【補正対象書類名】明細書
【補正対象項目名】００１７
【補正方法】変更
【補正の内容】
【００１７】
また、本発明に係る保温マットでは、前記第１面部は、ヒーター部と、前記ヒーター部に電力を供給するコネクタとを備え、前記コネクタは、前記第２長辺の中央部より前記第２短辺の側で前記第２長辺に沿わせて配置されていることを特徴とする。
したがって、本発明に係る保温マットは、第２長辺に沿う位置で第２短辺の側にコネクタが配置されることから、連結部へ幅方向に沿って身体を挿入したとき、あるいは、第２短辺から長さ方向に沿って身体を挿入したときのいずれの場合でも、コネクタに接続された制御部を操作性の良い位置に配置することが可能となり、利便性、制御性を向上させることができる。
【手続補正１１】
【補正対象書類名】特許請求の範囲
【補正対象項目名】全文
【補正方法】変更
【補正の内容】
【特許請求の範囲】
【請求項１】
第１長辺と、前記第１長辺に対向する第２長辺と、前記第１長辺および前記第２長辺の間で構成される第１短辺と、前記第１長辺および前記第２長辺の間で構成され前記第１短辺に対向する第２短辺とを有する平面視長方形状のマット本体、並びに、
前記第１長辺に対向する第３長辺と、前記第２長辺に対向する第４長辺と、前記第１短辺に対向する第３短辺と、前記第２短辺に対向する第４短辺とを有し、前記マット本体と略同程度の大きさに形成された平面視長方形状のマットカバーを備える保温マットであって、
前記第１長辺の中央部と前記第２短辺との間の第１縫い止め位置から少なくとも前記第１短辺における前記第２長辺の側の端部まで、前記第１長辺及び前記第３長辺、並びに前記第１短辺及び前記第３短辺をそれぞれ互いに縫い合わせて前記マット本体と前記マットカバーとを結合した結合部と、
前記マット本体の第２長辺と前記マットカバーの前記第４長辺とを開閉可能につなぎ合わせるファスナーとを備え、
前記ファスナーは、前記結合部の前記第２長辺に配置された第２縫い止め位置から前記第２短辺の側に向かって配設され、前記第２短辺へ向かう第１方向への摺動により前記第２長辺と前記第４長辺との間を閉じ、前記第１方向とは反対の第２方向への摺動により前記第２長辺と前記第４長辺との間を開く第１スライダーを備える
ことを特徴とする保温マット。
【請求項２】
前記ファスナーの前記第２短辺の側の端部を前記結合部の前記第１縫い止め位置との対向位置より前記第２短辺に近い位置に配置し、
前記マットカバーの前記第３長辺と前記第４短辺とが隣接する角部を前記マット本体に止める止め具を更に備えることを特徴とする請求項１に記載の保温マット。
【請求項３】
前記結合部は、前記第２縫い止め位置を前記第２長辺の中央部と前記第１短辺との間に設けたことを特徴とする請求項１または２に記載の保温マット。
【請求項４】
前記ファスナーは、前記第１スライダーより第２短辺側に、前記第１スライダーと異なる第２スライダーを有するダブルジップファスナーであり、
前記第２スライダーは、前記第２方向への摺動により前記第２長辺と前記第４長辺との間を閉じ、前記第１方向への摺動により前記第２長辺と前記第４長辺との間を開く
ことを特徴とする請求項１から３までのいずれか一つに記載の保温マット。
【請求項５】
前記マット本体は、ヒーター部を配置してなることを特徴とする請求項１から請求項４までのいずれか一つに記載の保温マット。
【請求項６】
前記マット本体は、前記ヒーター部の温度を調節操作する制御部に接続するコードを前記第２長辺における中央部より前記第２短辺の側の位置から引き出したことを特徴とする請求項５に記載の保温マット。